(57)【特許請求の範囲】
【請求項１】
床面に対して垂直に立置されるベース部材と、
前記ベース部材の前側に上下向きに形成されたスライドレールと、
前記スライドレールに摺動自在に設けられたスライダと、
前記スライダと連動して前記スライドレールに摺動自在に設けられ、且つ前記スライドレールの溝の上端から出入り自在に設けられ、且つその下端が前記スライダに対しヒンジにより前方に向かって回動自在に連設された天板と、
前記ベース部材の前側の左右に、ヒンジにより前方に向かって回動自在に連設された一対の扉板と、
一端が前記スライダの前側面に自在継手により回動自在に連設され、他端が前記扉板の前記スライダに対向する内側に自在継手により回動自在に連設された一対のリンク部材と、を備え、
前記リンク部材は、前記天板が前記スライドレールに収納された状態で左右の前記扉板が閉じ、前記天板の下辺が前記スライドレールの溝の上端まで引き出されたときに左右の前記扉板が開くリンク機構を構成しており、
左右の前記扉板は、前記天板の下端が前記スライドレールの溝の上端まで引き出した状態で、前記天板を水平位置まで回動させたときに、前記天板の下面を支持することを特徴とする支持台開閉構造。
【請求項２】
前記扉板は、上縁辺の高さが前記スライドレールの上端と同じ高さとされ、下縁辺が、床面と接触し又は下縁辺に設けられた高さ調節自在のアジャスタを介して床面と接触するように構成されていることを特徴とする請求項１記載の支持台開閉構造。
【請求項３】
前記扉板の開き角の範囲を規制する回動角規制手段を備え、
前記リンク部材は、前記扉板が閉じた状態に於いて、前記スライダの下辺が前記スライドレールの下端又は下端よりも上方に位置し、且つ、前記扉板が最大に開いた状態に於いて、前記天板の下辺が前記スライドレールの上端の高さとなるように、前記スライダの側面上の前記自在継手の位置及び前記扉板の側面上の前記自在継手の位置が調整されていることを特徴とする請求項１又は２記載の支持台開閉構造。
【請求項４】
前記各扉板の上辺に設けられた第１の係着部又は磁着部と、
前記天板の前側面に設けられた第２の係着部又は磁着部と、を備え、
前記第２の係着部又は磁着部は、前記天板の下辺が前記スライドレールの上端の高さとなる位置まで前記扉板を開いた状態で、前記天板の前側面が前記扉板の上辺と平行となるまで前記天板を回動させたとき、前記第１の係着部又は磁着部と係着又は磁着する位置に配設されていることを特徴とする請求項１乃至３の何れか一記載の支持台開閉構造。
【請求項５】
請求項１乃至４の何れか一記載の支持台開閉構造を備えた腰掛台であって、
吸着面を前記ベース部材の背面に向けて前記ベース部材の左右辺に配設された吸盤を備えたことを特徴とする腰掛台。
【発明の詳細な説明】
【技術分野】
【０００１】
本発明は、腰掛け、踏み台などの足場、植木鉢等の小物を載せる台、エントランスベンチ（玄関台）などの用途に使用される支持台の開閉収納構造、及びその構造を利用した腰掛台に関する。
【背景技術】
【０００２】
支持台開閉構造としては、例えば、特許文献１，２に記載のものが公知である。
【０００３】
図１３は、特許文献１記載の支持台（エントランスベンチ）の開閉収納構造である。図１３の支持台開閉構造１００は、後部支柱となる左右側板１０１，１０２、左右側板１０１，１０２間に水平位置から垂直位置へ起伏自在に枢支された座面板１０３、前部支柱となり且つそれを開いたとき座面板１０３の水平位置を保持するように左右側板に開閉自在に設けられた左右脚板１０４，１０５、及び座面板１０３の裏面と左右脚板１０４，１０５とを回動自在に連結するリンク１０６，１０７を備えている。リンク１０６，１０７は、座面板１０３を垂直に引き上げると左右脚板１０４，１０５が閉じ、座面板１０３を水平位置に戻すと左右脚板１０４，１０５が開いて座面板１０３を支持するように、リンク機構を構成している。
【０００４】
また、特許文献２には、支持台（折り畳み椅子）の開閉収納構造として、水平な座面を構成する座板と、脚部を構成するそれぞれ各一対の第１の側板および第２の側板とを、丁番により折り畳み可能に構成し、第１の側板は、略矩形状平板からなり、座板および第２の側板は、複数個のセグメントに分割し、各セグメント間を丁番により接続することにより、それ自体複数個に折り畳み可能な構成を有してなり、各セグメント間の丁番を開いた状態において、座板用の複数個のセグメントは水平な座面を構成し、第２の側板用の複数個のセグメントは、第２の側板が座面に作用する座荷重を実質的に支える機能を備えた支持台（折り畳み椅子）が記載されている。
【０００５】
その他、本発明の技術分野に関連する技術としては、特許文献４−８に記載の技術が公知である。
【０００６】
一方、腰掛台としては、例えば、特許文献２，４−８に記載のものの他、例えば、特許文献３に記載のものが公知である。
【先行技術文献】
【特許文献】
【０００７】
【特許文献１】特開２００３−１０２５８２号公報
【特許文献２】特開２００３−１５３７６０号公報
【特許文献３】特許第５０７４６２９号明細書
【特許文献４】特開２００３−３８６号公報
【特許文献５】特開２００６−３４６４４号公報
【特許文献６】実用新案登録第３１０７８１９号明細書
【特許文献７】実用新案登録第３１０８６１８号明細書
【特許文献８】実用新案登録第３１１３４８６号明細書
【発明の概要】
【発明が解決しようとする課題】
【０００８】
特許文献１記載の支持台開閉構造は、座面板１０３を折り畳んだ状態（垂直に引き上げた状態）では、図１３のように、リンク１０６，１０７が座面板１０３の前面に露出した状態となる。そのため、収納時などにリンク１０６，１０７が引っ掛かって邪魔になる。また、折り畳んだ状態において、左右脚板１０４，１０５の高さと座面板１０３の高さとを加えた高さとなるため、縦方向に長くなり、広い収納スペースが必要となるという欠点がある。また、持ち運び時に座面板１０３が水平方向に倒れて開きやすく、運搬作業に不便を来すという欠点がある。
【０００９】
一方、特許文献２記載の支持台開閉構造は、特許文献１記載のものと比べて、コンパクトに折りたたむことが可能であるが、多くの部材をヒンジで連結して構成されており、全体構造が複雑であるという欠点がある。また、座面を複数の板に区画してヒンジ結合した構造とされているため、強度的に弱くならざるを得ないという欠点がある。
【００１０】
そこで、本発明の目的は、従来のものと比べてコンパクトに収納でき、運搬や保管がし易く、簡易かつ丈夫に構成することができる支持台開閉構造及びその構造を利用した腰掛台を提供することにある。
【課題を解決するための手段】
【００１１】
本発明に係る支持台開閉構造の第１の構成は、床面に対して垂直に立置されるベース部材と、
前記ベース部材の前側に上下向きに形成されたスライドレールと、
前記スライドレールに摺動自在に設けられたスライダと、
前記スライダと連動して前記スライドレールに摺動自在に設けられ、且つ前記スライドレールの溝の上端から出入り自在に設けられ、且つその下端が前記スライダに対しヒンジにより前方に向かって回動自在に連設された天板と、
前記ベース部材の前側の左右に、ヒンジにより前方に向かって回動自在に連設された一対の扉板と、
一端が前記スライダの前側面に自在継手により回動自在に連設され、他端が前記扉板の前記スライダに対向する内側に自在継手により回動自在に連設された一対のリンク部材と、を備え、
前記リンク部材は、前記天板が前記スライドレールに収納された状態で左右の前記扉板が閉じ、前記天板の下辺が前記スライドレールの溝の上端まで引き出されたときに左右の前記扉板が開くリンク機構を構成しており、
左右の前記扉板は、前記天板の下端が前記スライドレールの溝の上端まで引き出した状態で、前記天板を水平位置まで回動させたときに、前記天板の下面を支持することを特徴とする。
【００１２】
この構成によれば、天板をスライドレールの上方に引き上げることにより、天板に連動してスライダが上方に向かってスライドレール上を引き上げられる。左右の扉板は、リンク部材によってスライダと連結されているため、スライダが上方に移動するのに伴い、前方に向かって回動し開扉する。天板を、天板の下辺が丁度スライドレールの上端に位置するまで天板を引き上げた後、天板を前方に向かって回動させ、天板の前側面が下向き、天板の背面が上向きとなり、左右の扉板の上辺に突き当たるまで回動する。この状態で、天板がベース部材と左右の扉板の脚によって支持された状態となり、支持台が構成される。天板を収納する際には、この逆の操作を行えばよい。
【００１３】
ここで、本発明に係る支持台開閉構造は、腰掛けの他、書棚の踏み台などの足場、植木鉢等の小物を載せる台、エントランスベンチ（玄関台）、バスや電車の補助席など、様々な用途に使用することが可能である。
【００１４】
本発明に係る支持台開閉構造の第２の構成は、前記第１の構成に於いて、前記扉板は、上縁辺の高さが前記スライドレールの上端と同じ高さとされ、下縁辺が、床面と接触し又は下縁辺に設けられた高さ調節自在のアジャスタを介して床面と接触するように構成されていることを特徴とする。
【００１５】
この構成によれば、扉板の上縁辺の高さをスライドレールの上端と同じ高さとすることで、天板を水平に回動したときに天板の前側面が扉板の上縁辺全体と当接した状態となるため、天板が安定して支持される。また、扉板の下縁辺が床面と接触し又は下縁辺に設けられた高さ調節自在のアジャスタを介して床面と接触するように構成したことで、扉板が開いた状態において扉板が床面に安定的に立置され、支持台全体を安定して立置することができる。
【００１６】
本発明に係る支持台開閉構造の第３の構成は、前記第１又は２の構成に於いて、前記扉板の開き角の範囲を規制する回動角規制手段を備え、
前記リンク部材は、前記扉板が閉じた状態に於いて、前記スライダの下辺が前記スライドレールの下端又は下端よりも上方に位置し、且つ、前記扉板が最大に開いた状態に於いて、前記天板の下辺が前記スライドレールの上端の高さとなるように、前記スライダの側面上の前記自在継手の位置及び前記扉板の側面上の前記自在継手の位置が調整されていることを特徴とする。
【００１７】
この構成によれば、回動角規制手段を設けることにより、スライダがスライドレールから抜脱するのを防止できるとともに、天板の引き出し位置の目視調整を行う必要がなくなるため、天板の引き出し操作が容易となる。
【００１８】
ここで、「回動角規制手段」としては、扉板のヒンジの開き角を規制するヒンジ回動角規制構造や、スライダの摺動範囲（最上側の範囲）を規制するスライダストッパ構造を使用することができる。
【００１９】
本発明に係る支持台開閉構造の第４の構成は、前記第１乃至３の何れか一の構成に於いて、前記各扉板の上辺に設けられた第１の係着部又は磁着部と、
前記天板の前側面に設けられた第２の係着部又は磁着部と、を備え、
前記第２の係着部又は磁着部は、前記天板の下辺が前記スライドレールの上端の高さとなる位置まで前記扉板を開いた状態で、前記天板の前側面が前記扉板の上辺と平行となるまで前記天板を回動させたとき、前記第１の係着部又は磁着部と係着又は磁着する位置に配設されていることを特徴とする。
【００２０】
この構成によれば、天板の前側面が扉板の上辺と平行となるまで天板を回動させて支持台を構成した際に、第１の係着部又は磁着部と第２の係着部又は磁着部とが係着又は磁着して、天板が扉板の上辺に固定される。これにより、天板に何かの衝撃が加わって、不意に捲れ上がるような事故を効果的に防止することができる。
【００２１】
本発明に係る腰掛台は、前記第１乃至４の何れか一の構成の支持台開閉構造を備えた腰掛台であって、
吸着面を前記ベース部材の背面に向けて前記ベース部材の左右辺に配設された吸盤を備えたことを特徴とする。
【００２２】
この構成によれば、吸盤を壁面に吸着させて腰掛台を壁面に固定して使用することができる。従って、例えば、腰掛台を浴室の浴槽の外側壁に固定して使用することで、足腰の不自由な使用者が浴槽に出入りする際の補助用の腰掛台として使用することができる。
【発明の効果】
【００２３】
以上のように、本発明の支持台開閉構造によれば、天板、スライダ、及び左右の扉板がリンクとヒンジによって連動しているため、天板の展開及び収納の操作を片手で容易に行うことが可能となる。また、天板をスライドレールに収納した状態においては、ベース部材、天板、スライダ、及び左右の扉板は平行な状態となっており、コンパクト化され、収納や持ち運びが容易となる。
【００２４】
また、本発明の腰掛台によれば、本発明の支持台開閉構造を採用することで、上述のように操作性、収納性、運搬性に優れるとともに、吸盤を壁面に吸着させて腰掛台を壁面に固定して使用することができるため、例えば、腰掛台を浴室の浴槽の外側壁に固定して使用することで、足腰の不自由な使用者が浴槽に出入りする際の補助用の腰掛台などとして使用することが可能となる。
【００２５】
また、特許文献２の構造に比べて部品点数が少ないため、簡易且つ丈夫に構成することが可能である。
【図面の簡単な説明】
【００２６】
【図１】本発明の実施例１に係る支持台開閉構造の基本構成を表す斜視図である。
【図２】図１の支持台開閉構造の動作を表す図である。
【図３】図１の支持台開閉構造の動作を表す図である。
【図４】図１の支持台開閉構造のリンク機構の説明図である。
【図５】本発明の実施例２に係る腰掛台の閉じた状態（閉扉状態）における（ａ）前面側斜視図、（ｂ）背面側斜視図、並びに（ｃ）天板，スライダ及びリンク部材を除いた状態を示した平面図である。
【図６】図５の腰掛台の（ａ）正面図，（ｂ）背面図，（ｃ）平面図，（ｄ）底面図，（ｅ）左右側面図である。
【図７】図５の腰掛台の天板を最大位置まで引き上げた状態（半開状態）における（ａ）前面側斜視図及び（ｂ）背面側斜視図である。
【図８】図７の腰掛台の（ａ）正面図，（ｂ）背面図，（ｃ）平面図，（ｄ）底面図，（ｅ）左右側面図である。
【図９】図５の腰掛台の天板を最大位置まで引き上げて天板を水平位置まで倒した状態（展開状態）における（ａ）前面側斜視図及び（ｂ）背面側斜視図である。
【図１０】図９の腰掛台の（ａ）正面図，（ｂ）背面図，（ｃ）平面図，（ｄ）底面図，（ｅ）左右側面図である。
【図１１】実施例２の腰掛台１を浴室用の腰掛けとして使用した例である。
【図１２】実施例３の腰掛台における（ａ）天板５の正面図及び（ｂ）閉扉状態から開き掛けた状態における開閉扉７，７の上端面近傍の拡大図である。
【図１３】特許文献１記載の支持台（エントランスベンチ）の開閉収納構造である。
【発明を実施するための形態】
【００２７】
以下、本発明を実施するための形態について、図面を参照しながら説明する。
【実施例１】
【００２８】
図１は、本発明の実施例１に係る支持台開閉構造の基本構成を表す斜視図である。図１において、本実施例に係る支持台開閉構造は、ベース部材Ｂ、左右のスライドレールＲｌ，Ｒｒ、スライダＳ、天板Ｔ、左右一対の扉板Ｄｌ，Ｄｒ、及び左右一対のリンク部材Ｌ２ｌ，Ｌ２ｒを備えている。尚、図１において、参考のため座標軸（ｘ軸，ｙ軸，ｚ軸）を表示しており、垂直方向にｚ軸をとり、床面内にｘ軸及びｙ軸をとる。また、ｘ軸をベース部材Ｂの横方向と平行な向き、ｙ軸をベース部材Ｂに垂直な向きとし、原点のｘ座標をベース部材Ｂの横方向の中心としている。また、図１に示した点線は、左右の扉板Ｄｌ，Ｄｒの下端側頂点の軌跡を示している。
【００２９】
本実施例の支持台開閉構造は、左右面対称に構成されている。
【００３０】
ベース部材Ｂは、床面に対して垂直に立置される。スライドレールＲｌ，Ｒｒは、ベース部材Ｂの前側面の左右に上下向きに形成されており、内側に向かって開口する溝状に形成されている。また、ベース部材Ｂの左右両側部は、前方に向かって一定の距離だけ突出するように形成されている。
【００３１】
尚、本実施例に於いては、スライドレールＲｌ，Ｒｒを、ベース部材Ｂの左右に形成した例を示しているが、本発明に於いては、スライドレールの構成はこれに限られず、例えば、ベース部材Ｂの中央に上下向きに形成してもよい。
【００３２】
スライダＳは、スライドレールに摺動自在に設けられた矩形状の板である。天板Ｔは、スライダＳと連動してスライドレールＲｌ，Ｒｒに摺動自在に設けられた矩形状の板であり、天板Ｔは、スライドレールＲｌ，Ｒｒの溝の上端Ｅｌ，Ｅｒから出入り自在である。また、天板Ｔの下辺とスライダＳの上辺は、ヒンジＨｔ（太線で表示）により連設されており、天板ＴがスライドレールＲｌ，Ｒｒの上端Ｅｌ，Ｅｒから出た状態に於いて、天板ＴはスライダＳに対して前方に向かって回動自在とされている。
【００３３】
扉板Ｄｌ，Ｄｒは、ベース部材Ｂの左右両側部の前方に突出した部分に、ヒンジＨｄｌ，Ｈｄｒ（太線で表示）により前方に向かって回動自在に連設されている。
【００３４】
リンク部材Ｌ２ｌ，Ｌ２ｒ（太線で表示）は、一端がスライダＳの前側面に自在継手Ｐ３ｌ，Ｐ３ｒ（点で表示）により回動自在に連設され、他端が扉板Ｄｌ，ＤｒのスライダＳに対向する側面に自在継手Ｐ２ｌ，Ｐ２ｒ（点で表示）により回動自在に連設されている。このリンク部材Ｌ２ｌ，Ｌ２ｒは、天板ＴがスライドレールＲｌ，Ｒｒに収納された状態において左右の扉板Ｄｌ，Ｄｒが閉じた状態（図１参照）となり、天板Ｔの下辺がスライドレールＲｌ，Ｒｒの溝の上端Ｅｌ，Ｅｒまで引き出されたときに左右の扉板Ｄｌ，Ｄｒが開いた状態となるリンク機構を構成している。また、左右の扉板Ｄｌ，Ｄｒは、天板Ｔの下辺がスライドレールＲｌ，Ｒｒの溝の上端Ｅｌ，Ｅｒまで引き出された状態（扉板Ｄｌ，Ｄｒが開いた状態）（図３（ｂ）参照）において、天板ＴをヒンジＨｔの廻りに水平位置まで回動させたときに、天板Ｔの下面を支持する（図３（ｂ）参照）。
【００３５】
図２及び図３は、図１の支持台開閉構造の動作を表す図である。天板ＴをスライドレールＲｌ，Ｒｒの上方に引き上げると、図２に示した様に、天板Ｔに連動してスライダＳが上方に向かってスライドレールＲｌ，Ｒｒ内を引き上げられる。また、左右の扉板Ｄｌ，Ｄｒは、リンク部材Ｌ２ｌ，Ｌ２ｒによってスライダＳと連結されているため、スライダＳが上方に移動するのに伴い、扉板Ｄｌ，Ｄｒは前方に向かって回動し開扉する。天板Ｔを、天板Ｔの下辺が丁度スライドレールＲｌ，Ｒｒの上端Ｅｌ，Ｅｒに位置するまで天板を引き上げた状態（図２（ｂ）。以下「最大開扉状態」という。）において、扉板Ｄｌ，Ｄｒの開扉角θは最大となる。本実施例では、最大開扉状態に於いて最大開扉角θmaxを９０度とした例を示しているが、本発明では最大開扉角θmaxはこれに限られず、最大開扉角θmaxにおいて、左右の扉板Ｄｌ，Ｄｒが天板Ｔの下面を支持するのに十分な位置にくるように構成されていればよい。具体的には、安定性の観点から、最大開扉角θmaxは８０〜９０度とするのが好ましい。
【００３６】
最大開扉状態となる位置まで天板Ｔを引き上げた後、図３に示すように、天板ＴをヒンジＨｔの廻りに前方に向かって回動させ、天板Ｔの背面が上向き、天板Ｔの前側面が下向きとなり、天板Ｔが左右の扉板Ｄｌ，Ｄｒの上辺に突き当たるまで回動させる（図３（ｂ）参照）。この状態で、天板Ｔがベース部材Ｂと左右の扉板Ｄｌ，Ｄｒとで構成される脚によって支持された状態となり、支持台が形成される。
【００３７】
尚、天板Ｔを収納する際には、この逆の操作を行えばよい。
【００３８】
図４は、図１の支持台開閉構造のリンク機構の説明図である。図４（ａ）（ｂ）は図１の支持台開閉構造の左右のリンク機構うちの左側のものを表している。
【００３９】
図４において、ｚ軸は、垂直上向きとし、自在継手Ｐ３ｌの中心点の移動軸上にとっている。ｘｙ平面は、水平面とし、ｘ軸はベース部材Ｂの下辺に平行、ｙ軸はベース部材Ｂの面に垂直とし、ｘ軸，ｙ軸の向きは図１と同様としている。また、分かりやすくするため、扉板Ｄｌの厚みは無視し、扉板Ｄｌが完全に閉じた状態における自在継手Ｐ３ｌの中心点の位置を原点Ｏとする。
【００４０】
関節Ｐ２は、図１の自在継手Ｐ２ｌの中心点、関節Ｐ３は、図１の自在継手Ｐ３ｌの中心点、リンクＬ２は、図１のリンク部材Ｌ２ｌに対応する。また、関節Ｐ０は、原点Ｏに固定されている。関節Ｐ１は、ヒンジＨｄｌの回転軸上にあり、その高さが関節Ｐ２と同一である点を表す。リンクＬ０は、関節Ｐ０と関節Ｐ１を結ぶリンクを表し、固定リンクである。リンクＬ１は、関節Ｐ１Ｐ２を結ぶリンクを表し、関節Ｐ１を中心に水平面上を回動するリンクである。リンクＬ３は、関節Ｐ３Ｐ０を結ぶリンクを表し、ｚ軸上に拘束された伸縮するリンクである。
【００４１】
また、扉板Ｄｌが完全に閉じた状態における関節Ｐ２の位置をＢ、扉板Ｄｌが９０度開いた状態における関節Ｐ２の位置をＣとする。
【００４２】
図１の支持台開閉構造のリンク機構は、図４（ａ）のリンクＬ０〜Ｌ３から構成される立体連鎖と考えることができる。原点に対する関節Ｐ１の位置座標を（ｘ１，ｙ１，ｚ１）、関節Ｐ３の位置座標を（０，０，ｚ３）、リンクＬ１の長さ（関節Ｐ１の回転半径）をｒｄ、ｘ軸とリンクＬ１とがなす角（「開扉角」と呼ぶ。）をθ（向きは、ｘｙ平面上で時計回りを正とする）とすると、開扉角θに対する関節Ｐ３の高さｚ３は次式で表される。
【００４３】
【数１】
0005733870.tif 000002
【００４４】
最大開扉角をθmaxとすると、扉板Ｄｌが最大開扉角θmaxまで完全に開くための条件は、式（１ａ）の根号内が正であるという条件によって与えられ、
【００４５】
【数２】
0005733870.tif 000003
となる。特に、θmaxが９０度の場合、
【００４６】
【数３】
0005733870.tif 000004
となる。従って、リンク部材Ｌ２ｌ，Ｌ２ｒの長さ、自在継手Ｐ２ｌ，Ｐ２ｒの位置、及び自在継手Ｐ３ｌ，Ｐ３ｒの位置は、式（２）又は式（３）の関係が満たされるように調整すればよい。
【００４７】
尚、実際に図１の支持台開閉構造を用いて支持台を構成する場合、扉板Ｄｌ，Ｄｒが厚みを有するため、開扉角θ＝０における関節Ｐ２の位置は、点Ｂから若干のズレを生じ、例えば、図４（ａ）の点Ｂ０の位置となり、θmax＝９０度とすると、関節Ｐ２は点Ｂ０と点Ｃ０との間を移動する。従って、扉板Ｄｌが完全に閉じた状態に於いてはθ＜０，ｚ３＜０となる。点Ｂ０における開扉角θをθ０、θ＝θ０における関節Ｐ３の位置座標を（０，０，−ａ）とすると、閉扉位置の補正定数ａは、
【００４８】
【数４】
0005733870.tif 000005
となる。
【００４９】
また、スライダＳ及び自在継手Ｐ３ｌを介して関節Ｐ３に加わる垂直方向の駆動力をＦ、駆動力Ｆに対して関節Ｐ２に加わる回動方向の力をＦθ（１）とすると、駆動力Ｆと回転力Ｆθ（１）の関係は、図４（ｂ）のようになるので、駆動力Ｆに対してリンクＬ１に働くトルクＴ１は、
【００５０】
【数５】
0005733870.tif 000006
の関係となる。従って、開扉角θの可動範囲において式（５）のトルク効率Ｔ１／Ｆができるだけ大きくなるように、リンク部材Ｌ２ｌ，Ｌ２ｒの長さ、自在継手Ｐ２ｌ，Ｐ２ｒの位置、及び自在継手Ｐ３ｌ，Ｐ３ｒの位置を設計すればよい。
【００５１】
尚、開扉角θが最大開扉角θmaxを越えて天板Ｔが引き上げられると、スライダＳがスライドレールＲｌ，Ｒｒの上端Ｅｌ，Ｅｒから抜け落ちてしまう。従って、スライダＳが最大開扉角θmaxのときの高さｈmaxよりも上方に移動しないように、回動角規制手段を設けるのがよい。回動角規制手段としては、例えば、ベース部材Ｂ又はスライドレールＲｌ，Ｒｒに、スライダＳが高さｈmaxより上に移動しないようにストッパを設けたり、ヒンジＨｄｌ，Ｈｄ２の回動範囲がθ≦θmaxとなるように回動角が制限されたヒンジＨｄｌ，Ｈｄ２を使用したりすることによって、実現することができる。
【００５２】
また、本実施例の支持台開閉構造を、腰掛台や踏台に応用する場合、図３（ｂ）のように最終状態まで展開して使用する際に、外部からの衝撃などによって天板Ｔが簡単に捲れ上がるのを防止する必要がある。従って、天板Ｔと当接する扉板Ｄｌ，Ｄｒの上辺に、それぞれ第１の係着部又は磁着部を設けると共に、これらに対向する天板Ｔの前側面に第２の係着部又は磁着部を設けることができる（実施例２参照）。第１及び第２の係着部又は磁着部としては、具体的には、例えば、ローラーキャッチ、ボールキャッチ、マグネットキャッチなどのドアキャッチャ（ドアキャッチャとは閉めた戸が風圧などで自然に開いたりしないように、扉を正常な位置にしっかりと保持しておくための金具）を使用することができる。
【実施例２】
【００５３】
図５は、本発明の実施例２に係る腰掛台の閉じた状態（閉扉状態）における（ａ）前面側斜視図、（ｂ）背面側斜視図、並びに（ｃ）天板，スライダ及びリンク部材を除いた状態を示した平面図である。図６は、図５の腰掛台の（ａ）正面図，（ｂ）背面図，（ｃ）平面図，（ｄ）底面図，（ｅ）左右側面図である。尚、本実施例の腰掛台は左右対称であるため、右側面と左側面は同様である。
【００５４】
図７は、図５の腰掛台の天板を最大位置まで引き上げた状態（半開状態）における（ａ）前面側斜視図及び（ｂ）背面側斜視図である。図８は、図７の腰掛台の（ａ）正面図，（ｂ）背面図，（ｃ）平面図，（ｄ）底面図，（ｅ）左右側面図である。
【００５５】
図９は、図５の腰掛台の天板を最大位置まで引き上げて天板を水平位置まで倒した状態（展開状態）における（ａ）前面側斜視図及び（ｂ）背面側斜視図である。図１０は、図９の腰掛台の（ａ）正面図，（ｂ）背面図，（ｃ）平面図，（ｄ）底面図，（ｅ）左右側面図である。
【００５６】
本実施例の腰掛台１は、実施例１の支持台開閉構造を用いたものである。腰掛台１は、ベース部材２、左右のスライドレール３，３、スライダ４、天板５、左右の天板ヒンジ６，６、左右の扉板７，７、上下左右に配された４つの扉板ヒンジ８、左右のリンク部材９，９，スライダ側自在継手１０，１０，扉板側自在継手１１，１１、左右の扉板７，７に取り付けられたアジャスタ１２，１２、ベース部材２背面の上下左右に配された４つの吸盤１３、左右の扉板７，７の上辺に配設されたメス型のドアキャッチャ１４ａ，１４ａ、及び天板５の前側面に配設されたオス型のドアキャッチャ１４ｂを備えている。
【００５７】
ベース部材２は、床面に対して垂直に立置される。ベース部材２は矩形平板状の樹脂製の背板２ａと、背板２ａの前側面の左右に突設された縦長角材状の側部材２ｂとにより構成されている。なお、本実施例ではベース部材２は背板２ａと側部材２ｂ，２ｂとを組合わせて構成しているが、ベース部材２は一体の部品により構成してもよい。ベース部材２の前側及び左右側の上縁辺は、傾斜状に面取りがされている。また、ベース部材２の前側の左右垂直辺は、円弧状に面取りがされている。また、左右の側部材２ｂ，２ｂの外側の垂直側面には、それぞれ、上下に２カ所ずつ、吸盤１３を取り付けるためのＵ字谷状の切り欠きが形成されている。
【００５８】
さらに、図５（ｃ），図７（ａ）に示すように、左右の側部材２ｂ，２ｂは、それぞれ内側の側面の背板２ａの前側面と接する部分に鈎型（Ｌ型）の切り欠き状に上下向きの溝が設けられており、これが背板２ａと合わさってスライドレール３を形成している。また、側部材２ｂ，２ｂの上端前縁部の内側は、スライドレール３の幅だけ鈎型（Ｌ型）の切欠２ｃ，２ｃが形成されている。
【００５９】
スライダ４は、左右のスライドレール３，３の間隔と略同幅の矩形状の各部材で構成され、スライドレール３，３の溝間に摺動自在に設けられている。
【００６０】
天板５は、上部の左右コーナーが面取りされた矩形状の平板で構成され、上縁近傍の前側面が段差状に突出しており、段差上部が厚板部５ａ、段差下部が薄板部５ｂとして形成されている。薄板部５ｂが左右のスライドレール３，３の溝間に摺動自在且つ出入り自在に挿入され、薄板部５ｂと厚板部５ａとの間の段差によって、天板５のスライドレール３，３内への挿入深さが規制されている。また、厚板部５ａの当該段差部分に前方に嘴状に突出した嘴片５ｃが形成されている。この嘴片５ｃの下面は薄板部５ｂの前側面に対し垂直面とされ、嘴片５ｃの上面は厚板部５ａの前側面と滑らかに接続するスロープ面に形成されている。また嘴片５ｃの高さ（前方に突出した高さ）は、図５（ａ）のように、天板５をスライドレール３，３に完全に挿入した状態に於いて、嘴片５ｃの上面が、傾斜状に面取りされたベース部材２の前側上縁辺の傾斜面と略面一となるように調整されている。これは、出っ張った角をできるだけ少なくして使用時に角が使用者に当たるのを防止すると共に、外観的に滑らかな感じを出して意匠的な改善を図ったものである。天板５の厚板部５ａの中央には、前側面から後側面の間を貫いて、帯直円状の把手穴５ｄが形成されている。この把手穴５ｄを持って、天板５を上方に容易に引き上げることができる。
【００６１】
天板５とスライダ４の前側面は、左右の天板ヒンジ６，６により回動自在に接続されている。これにより、天板５はスライダ４に対して、前方に向かって回動自在に接続されている。
【００６２】
左右の扉板７は、矩形平板状の部材によって構成されており、それぞれ、左右の側部材２ｂの内側の垂直前縁辺に、上下の扉板ヒンジ８，８により、前方へ向かい回動自在に連設されている。以下、扉板７の垂直な左右側辺のうち、扉板ヒンジ８，８が設けられた側を基端側辺、その反対側を先端側辺と呼ぶ。また、扉板７が閉じた状態（扉板７が背板２ａと平行となった状態）を閉扉状態とし、ことときの扉板ヒンジ８の開扉角を０度とする。また、閉扉状態から扉板７が前方に回動したときの扉板ヒンジ８の開扉角をθ’とする（尚、図４と比較すると、本実施例では、扉板７の厚み分だけ、扉板側自在継手１１の中心位置が扉板ヒンジ８の回転軸の位置よりも背板２ａ側に偏倚している（図５（ｃ）参照）ため、θ’＝０°のとき、図４の開扉角θはθ＝−θmin＜０°となっている。従って、図４の開扉角θと区別するため、本実施例では開扉角に記号「θ’」を使用する）。扉板ヒンジ８は開扉角θ’が最大９０度となるように規制されている。これにより、扉板７の開扉角θ’は最大９０度までに制限される。扉板７の上側面の高さは、ベース部材２の切欠２ｃの上面の高さとされ、扉板７の下側面の高さは、ベース部材２の下面よりも若干高い位置となるように形成されている。また、扉板７の下側面の先端側辺近傍には、高さ調節自在なアジャスタ１２が設けられている。アジャスタ１２は、調節ナット１２ａを回転操作することによって、自在に高さの調節を行うことができ、これにより扉板７の先端部を床面に確実に固定させることができる。
【００６３】
左右一対のリンク部材９，９は、一端がスライダ４の前側面にスライダ側自在継手１０，１０により回動自在に連設され、他端がそれぞれ左右の扉板７，７のスライダ４に対向する側面（以下「内側面」という。）に扉板側自在継手１１，１１により回動自在に連設されている。このリンク部材９，９は、閉扉状態（図５（ａ）（ｂ））に於いて、スライダ４の下辺がスライドレール３，３の下端（即ち、ベース部材２の下端）よりも上方に位置し、且つ、扉板７，７が最大に開いた状態（最大開扉状態）に於いて、天板５の下辺がスライドレール３，３の上端の高さ（切欠２ｃ上面の高さ）となるように、スライダ側自在継手１０，１０の位置及び扉板側自在継手１１，１１の位置が調整されている。この位置調整については、前述した式（１ａ）及び式（３）を用いて決めることができる。これらリンク部材９，９は、実施例１で説明した通り、スライダ４及び天板５の上下動と、扉板７，７の開閉動とを連動させるリンク機構を構成している。
【００６４】
吸盤１３は、吸着面をベース部材２の背面に向けてベース部材２の左右側辺に配設されている。この吸盤１３は、ハンドル１３ａを操作することによって、吸着脱離自在とされている。
【００６５】
左右の扉板７，７の上面の先端付近には、切り欠き溝が形成され、その内部にメス型のドアキャッチャ１４ａ，１４ａが配設されている。また、天板５の前側面には、ドアキャッチャ１４ａ，１４ａに対応してオス型のドアキャッチャ１４ｂ，１４ｂが配設されている。尚、本実施例では、ドアキャッチャ１４ａ，１４ｂとして、ボールキャッチ（タキゲン製造株式会社製Ｃ−１０９０）を使用した例を示しているが、これ以外にも、ローラーキャッチ、マグネットキャッチなどを使用することもできる。このドアキャッチャ１４ｂ，１４ｂにより、腰掛台１の天板５を水平に倒した状態（図９，図１０）において、ドアキャッチャ１４ｂ，１４ｂが互いに嵌合し、使用の際に、外部からの衝撃などによって天板５が簡単に捲れ上がることが防止される。
【００６６】
尚、本実施例の腰掛台１のリンク機構の動作については、実施例１で説明した通りであるため省略する。
【００６７】
本実施例の腰掛台１は、様々な用途に使用可能であるが、例えば、特許文献３に示されたような浴室用の腰掛けとして使用することができる。図１１に、実施例２の腰掛台１を浴室用の腰掛けとして使用した例を示す。腰掛台１を使用する場合、図１１に示すように、浴槽２０の外側の側面に、吸盤１３によって腰掛台１を固定する。これにより、腰掛台１がズレ動くことが防止され、足腰の弱った使用者にも安全に使用することができる。
【００６８】
腰掛けとして使用する際には、図１１（ａ）のように、天板５を引き出して展開した状態で使用する。具体的な使用方法については、例えば、特許文献３に記載された入浴補助座具と同様であり、使用者が天板５の上面に腰掛けて回転し、浴槽２０に出入りする。
【００６９】
また、使用しない状態では、図１１（ｂ）のように、天板５をスライドレール３，３内に収容しておけばよい。これにより、腰掛台１は平べったい状態で浴槽２０の外側壁に貼り付けられた状態となるためスペースをとらず、浴室内の清掃作業の際などに邪魔にならない。
【００７０】
また、搬送する際には、天板５をスライドレール３，３内に収容し図５のような状態として把手穴５ｄを持って、通常の片手持ちトランクと同様の感覚で持ち運ぶことができる。従って、コンパクトであり搬送や収納にたいへん便利である。
【実施例３】
【００７１】
図１２は、実施例２の腰掛台１における（ａ）天板５の正面図及び（ｂ）閉扉状態から開き掛けた状態における開閉扉７，７の上端面近傍の拡大図である。本実施例の腰掛台１では、実施例２の腰掛台の天板５に、新たに一対のオス型のドアキャッチャ１４ｃ，１４ｃを設けるとともに、各扉板７のメス型のドアキャッチャが取り付けられる扉板７の上端面の切り欠き溝の中央付近を、背板２ａ側に向かって開口させたことを特徴としている。それ以外は、実施例２と同様である。
【００７２】
ドアキャッチャ１４ｃ，１４ｃは、天板の厚板部５ａと薄板部５ｂとの間の段差部の段差面上に配設されており、その位置は、図１２（ｂ）に示した様に、閉扉状態において各ドアキャッチャ１４ｃ，１４ｃが、扉板７，７側の各ドアキャッチャ１４ａ，１４ａと丁度嵌合する位置とされている。
【００７３】
これにより、閉扉状態において、ドアキャッチャ１４ｃ，１４ｃがドアキャッチャ１４ａ，１４ａと嵌合することによって、若干大きな力を加えて天板５を引き上げてドアキャッチャ１４ｃ，１４ｃをドアキャッチャ１４ａ，１４ａから抜脱しなければ、扉板７，７は開かない。故に、腰掛台１を持ち運ぶ際に、閉扉状態として把手穴５ｄを持って手に提げた際に、扉板７，７が開くことが防止され、持ち運びにおける利便性が向上する。
【００７４】
また、展開状態に於いて天板を固定するためのドアキャッチャ１４ｂ，１４ｂと、閉扉状態において天板を固定するドアキャッチャ１４ｃ，１４ｃは、相手側のドアキャッチャとして共通のドアキャッチャ１４ａ，１４ａを利用する構成であるため、構造が簡易で設計しやすく、また部品点数も少なく低コストで製造できる。
【００７５】
尚、本実施例では、各ドアキャッチャ（係着部又は磁着部）として、実施例２と同様のボールキャッチを使用した例を示したが、係着部又は磁着部としては、例えばマグネットキャッチを使用することもできる。
【符号の説明】
【００７６】
１  腰掛台
２  ベース部材
２ａ  背板
２ｂ  側部材
２ｃ  切欠
３  スライドレール
４  スライダ
５  天板
５ａ  厚板部
５ｂ  薄板部
５ｃ  嘴片
５ｄ  把手穴
６  天板ヒンジ
７  扉板
８  扉板ヒンジ
９  リンク部材
１０  スライダ側自在継手
１１  扉板側自在継手
１２  アジャスタ
１２ａ  調節ナット
１３  吸盤
１３ａ  ハンドル
１４ａ  ドアキャッチャ（メス型）
１４ｂ  ドアキャッチャ（オス型）
１４ｃ  ドアキャッチャ（オス型）
２０  浴槽
【要約】
【課題】従来と比べコンパクトに収納でき、簡易かつ丈夫に構成できる支持台開閉構造及び腰掛台の提供。
【解決手段】ベース部材Ｂと、ベース部材前側面に形成されたスライドレールＲｌ，Ｒｒと、スライドレール内を摺動自在なスライダＳと、スライダと連動しスライドレール内を摺動自在でかつ上端から出入り自在に設けられスライダに対し回動自在に連設された天板Ｔと、ベース部材の左右に回動自在に連設された扉板Ｄｌ，Ｄｒと、一端がスライダに回動自在に連設され他端が扉板に回動自在に連設されたリンク部材Ｌ２ｌ，Ｌ２ｒを備え、リンク部材は、天板が収納された状態で扉板が閉じ、天板が引き出されたときに左右の扉板が開くリンク機構を構成し、扉板は、天板下辺がスライドレール上端まで引出された状態で天板を水平位置へ回動させたときに天板の下面を支持することを特徴とする。
【選択図】図１【図１３】
0005733870.tif 000007
【図１】
0005733870.tif 000008
【図２】
0005733870.tif 000009
【図３】
0005733870.tif 000010
【図４】
0005733870.tif 000011
【図５】
0005733870.tif 000012
【図６】
0005733870.tif 000013
【図７】
0005733870.tif 000014
【図８】
0005733870.tif 000015
【図９】
0005733870.tif 000016
【図１０】
0005733870.tif 000017
【図１１】
0005733870.tif 000018
【図１２】
0005733870.tif 000019